(57)【要約】【課題】例えば厚さ1mm未満の素材を用いても、印刷物の自重で変形したり転倒したりすることがなく、折り畳んでコンパクトにして印刷物と一緒に梱包して搬送することができるうえ、使わないときに収納スペースが節約できるスタンドラックを提供する。【解決手段】一枚のシートを折り目に従って折り曲げてスタンドラック用の部材とし、該部材の一部に形成される係合部および被係合部が相互に係合して組み立てられるスタンドラックであって、前記一枚のシートからスタンドラック本体と、該スタンドラック本体を後ろから支えて転倒を防止するスタンドが形成され、前記スタンドは、スタンド底板と、該スタンド底板に連接されたスタンド背板とを有し、該スタンド背板の側面に補強用のスタンドリブが設けられており、前記スタンド底板の一部を切り欠いて垂直に折り曲げて形成したスタンド底板ジョイント部の先端に有するツメを、前記スタンド背板とスタンドリブとの連接部に形成された受け穴に係合して組み立てられることを特徴とするスタンドラック。【選択図】図６
2008018105.tif 000002
【特許請求の範囲】
【請求項１】
一枚のシートを折り目に従って折り曲げてスタンドラック用の部材とし、該部材の一部に形成される係合部および被係合部が相互に係合して組み立てられるスタンドラックであって、
前記一枚のシートからスタンドラック本体と、該スタンドラック本体を後ろから支えて転倒を防止するスタンドが形成され、
前記スタンドは、スタンド底板と、該スタンド底板に連接されたスタンド背板とを有し、該スタンド背板の側面に補強用のスタンドリブが設けられており、前記スタンド底板の一部を切り欠いて垂直に折り曲げて形成したスタンド底板ジョイント部の先端に有するツメを、前記スタンド背板とスタンドリブとの連接部に形成された受け穴に係合して組み立てられることを特徴とするスタンドラック。
【請求項２】
前記スタンドラック本体を形成する本体背板と前記スタンド底板との連接部に形成された通し穴に、前記スタンドラック本体を形成する本体底板に連接された本体底板ジョイント部を通し、該本体底板ジョイント部に形成されたツメを、前記本体背板に形成された受け穴に係合して組み立てられることを特徴とする請求項１に記載のスタンドラック。
【請求項３】
前記スタンドラック本体が、前記スタンドラック本体を形成する本体前板および二段ポケット前板とを有し、該二段ポケット前板に連接された３枚の板を折り曲げて二段ポケット底板を形成することを特徴とする請求項１または請求項２に記載のスタンドラック。
【請求項４】
請求項１乃至請求項３のいずれか１項に記載のスタンドラックの前面に、別のスタンドラックを係合して配置することを特徴とするスタンドラック。
【発明の詳細な説明】
【技術分野】
【０００１】
本発明は、一枚のシートを折り目に従って折り曲げてスタンドラック用の部材とし、該部材の一部に形成される係合部および被係合部が相互に係合して組み立てられるスタンドラックに関する。
【０００２】
具体的には、例えば、カタログやパンフレット等の印刷物を束ねて、見え易く、かつ、取り出し易く配置するスタンドラックに関する。
【背景技術】
【０００３】
カタログやパンフレット等の印刷物を束ねて、見え易く、かつ、取り出し易く配置するスタンドラックに関しては従来から種々の提案がなされている。
【０００４】
例えば、特許第３３５２６１６号公報（下記特許文献１）には、背面板、外底面板、外前面板、外側面板、及び、内ポケットの内側面板、内前面板、内底面板からなる部材シートが、折り目を介して左右対称に構成されており、折り目に従って折り曲げれば、所定形状に組み上げることができるスタンドラック及びペン立て構造が提案されている。
【０００５】
しかし、この特許文献１に記載されたスタンドラックは、左右の外側面板で支持する構造となっており、多数の印刷物を入れた場合に印刷物の自重により変形したり転倒したりすることを防止するためには、スタンドラックの素材として、例えば厚さ1mm以上の硬質プラスチックを用いる必要があり、製造コストが高くつくという問題点があった。
【０００６】
また、厚さ1mm以上の硬質プラスチックは、直角程度まで折り曲げることはできるが、それ以上に深く折り曲げると割れてしまうため、スタンドラックを折り畳んでコンパクトにすることができないため、印刷物と一緒に梱包して搬送することは困難であり、また、使わないときには広い収納スペースが必要だった。
【０００７】
また、特開２００２−１７７１０４号公報（下記特許文献２）には、起立板と支持部材板から構成された一枚の厚紙を折り畳み、カタログ等を収納するポケットを設けた一体構造のカタログスタンドが提案されている。
【０００８】
しかし、この特許文献２に記載されたカタログスタンは、側面に設けられた脚部で支持する構造となっており、多数の印刷物を入れた場合に印刷物の自重により変形したり転倒したりするという問題点があった。
【０００９】
また、カタログスタンドの素材として用いる厚紙も、直角程度まで折り曲げることはできるが、それ以上に深く折り曲げると割れてしまうため、折り畳んでコンパクトにすることができないため、印刷物と一緒に梱包して搬送することは困難であり、また、使わないときには広い収納スペースが必要だった。
【特許文献１】特許第３３５２６１６号公報
【特許文献２】特開２００２−１７７１０４号公報
【発明の開示】
【発明が解決しようとする課題】
【００１０】
本発明は、前述のような従来技術の問題点を解決し、例えば厚さ1mm未満の素材を用いても、印刷物の自重で変形したり転倒したりすることがなく、折り畳んでコンパクトにして印刷物と一緒に梱包して搬送することができるうえ、使わないときに収納スペースが節約できるスタンドラックを提供することを課題とする。
【課題を解決するための手段】
【００１１】
本発明は前述の課題を解決するために鋭意検討の結果、スタンドラックの支持機構を工夫することにより、変形や転倒を防止でき、しかも折り畳んでコンパクトにできるスタンドランクを完成させたものであり、その要旨とするところは特許請求の範囲に記載した通りの下記内容である。
（１）一枚のシートを折り目に従って折り曲げてスタンドラック用の部材とし、該部材の一部に形成される係合部および被係合部が相互に係合して組み立てられるスタンドラックであって、
前記一枚のシートからスタンドラック本体と、該スタンドラック本体を後ろから支えて転倒を防止するスタンドが形成され、
前記スタンドは、スタンド底板と、該スタンド底板に連接されたスタンド背板とを有し、該スタンド背板の側面に補強用のスタンドリブが設けられており、前記スタンド底板の一部を切り欠いて垂直に折り曲げて形成したスタンド底板ジョイント部の先端に有するツメを、前記スタンド背板とスタンドリブとの連接部に形成された受け穴に係合して組み立てられることを特徴とするスタンドラック。
（２）前記スタンドラック本体を形成する本体背板と前記スタンド底板との連接部に形成された通し穴に、前記スタンドラック本体を形成する本体底板に連接されたスタンドジョイント部を通し、該スタンドジョイント部に形成されたツメを、前記本体背板に形成された受け穴に係合して組み立てられることを特徴とする（１）に記載のスタンドラック。
（３）前記スタンドラック本体が、前記スタンドラック本体を形成する本体前板および二段ポケット前板とを有し、該二段ポケット前板に連接された３枚の板を折り曲げて二段ポケット底板を形成することを特徴とする（１）または（２）に記載のスタンドラック。
（４）（１）乃至（３）のいずれか１項に記載のスタンドラックの前面に、別のスタンドラックを係合して配置することを特徴とするスタンドラック。
＜作用＞
（１）の発明によれば、スタンド底板と、スタンド底板に連接されたスタンド背板とを有することにより、スタンドラック本体を後ろから支えて転倒を防止するスタンドが形成されるため、例えば1mm未満のＰＰ製（ポリプロピレン製）のスタンドであっても、印刷物の自重により変形したり転倒したりしにくいうえ、前記スタンド底板の一部を切り欠いて垂直に折り曲げて形成したスタンド底板ジョイント部の先端に有するツメを、前記スタンド背板とこれを補強するスタンドリブとの連接部に形成された受け穴に係合することにより底板、背板、及び、リブの３つの面から構成される立体構造のスタンドを形成できるので、接着やのり貼りをしなくても従来に比べて著しく頑丈なスタンドラックを実現することができる。
【００１２】
また、本発明によれば、例えば1mm未満のＰＰ製（ポリプロピレン製）の素材を使用でき、直角以上の深い角度まで折り曲げることができるので、折り畳んでコンパクトにして印刷物と一緒に梱包して搬送することができるうえ、使わないときに収納スペースが節約できる。
（２）の発明によれば、スタンドラック本体を形成する本体背板とスタンド底板との連接部に形成された通し穴に、前記スタンドラック本体を形成する本体底板に連接された本体底板ジョイント部を通し、該本体底板ジョイント部に形成されたツメを、前記本体背板に形成された受け穴に係合して組み立てられるので、本体底板ジョイント部により本体背板と本体底板との位置が固定されるため、印刷物の自重によりポケット部が捩れる変形を防止することができる。
（３）の発明によれば、スタンドラック本体が、スタンドラック本体を形成する本体前板および二段ポケット前板とを有することにより、上下二段に印刷物を入れることができるうえ、二段ポケット前板に連接された３枚の板を折り曲げて二段ポケット底板を形成するので立体構造の底板とすることができるので、二段ポケットに印刷物の自重がかかった場合でも、二段ポケットが捩れて変形しにくくすることができる。
（４）の発明によれば、印刷物を前後方向に複数段に並べることができるうえ、スタンドラックを左右にずらすことにより、印刷物を見え易く並べることができる。
【発明の効果】
【００１３】
本発明によれば、スタンドラックの支持機構を工夫することにより、例えば厚さ1mm未満の素材を用いても、印刷物の自重で変形したり転倒したりすることがなく、折り畳んでコンパクトにして印刷物と一緒に梱包して搬送することができるうえ、使わないときに収納スペースが節約できるスタンドラックを提供することができ、具体的には、下記のような産業上有用な著しい効果を奏する。
１）底板、背板、及び、リブの３つの面から構成される立体構造のスタンドを形成できるので、接着やのり貼りをしなくても従来に比べて著しく頑丈なスタンドラックを実現することができ、しかも、例えば1mm未満のＰＰ製（ポリプロピレン製）の素材を使用でき製造コストを低減することができる。
２）本体底板ジョイント部により本体背板と本体底板との位置が固定されるため、印刷物の自重によりポケット部が捩れる変形を防止することができる。
３）二段ポケット前板に連接された３枚の板を折り曲げて二段ポケット底板を形成するので立体構造の底板とすることができるので、二段ポケットに印刷物の自重がかかった場合でも、二段ポケットが捩れて変形しにくくすることができる。
４）印刷物を前後方向に複数段に並べることができるうえ、スタンドラックを左右にずらすことにより、印刷物を見え易く並べることができる。
【発明を実施するための最良の形態】
【００１４】
発明を実施するための最良の形態について図１〜図２０を用いて詳細に説明する。
＜第１の実施形態＞
図１〜図６は、本発明のスタンドラックにおける第１の実施形態を例示する図である。
【００１５】
本発明は、一枚のシートを折り目に従って折り曲げてスタンドラック用の部材とし、該部材の一部に形成される係合部および被係合部が相互に係合して組み立てられるスタンドラックであり、第１の実施形態は、印刷物を入れる一段ポケットを有するスタンドラックを例示するものである。
【００１６】
図１は、本発明における第１の実施形態のスタンドラックを組み立てる前のシートを示す図である。
【００１７】
図１に示すように、スタンドラックを組み立てる前のシートには、本体背板２、本体側板Ａ５、本体側板Ｂ８、本体側板Ｃ９，本体前板１、本体底板Ａ１２、スタンド底板１６、スタンド背板２３からなる部材が連接されており、その連接部には折り目が設けられており、その折り目に従って折り曲げて係合部および被係合部を係合させることにより、接着やのり貼りをしなくてもスタンドラックを組み立てることができる。
【００１８】
本発明のスタンドラックは、前記一枚のシートからスタンドラック本体と、該スタンドラック本体を後ろから支えて転倒を防止するスタンドが形成され、前記スタンドは、スタンド底板１６と、該スタンド底板１６に連接されたスタンド背板２３とを有し、該スタンド背板２３の側面に補強用のスタンドリブ２６が設けられており、前記スタンド底板１６の一部を切り欠いて垂直に折り曲げて形成したスタンド底板ジョイント部１７の先端に有するツメ２０を、前記スタンド背板２３とスタンドリブ２６との連接部に形成された受け穴２４に係合して組み立てられることを特徴とする。
＜スタンドの組み立て手順＞
本発明の第１の特徴であるスタンドの組み立て手順を説明する。
【００１９】
まず、図１に示すスタンド底板１６を図５に示すように、スタンドラック本体の後ろ側に折り曲げ、スタンド底板１６に連接されているスタンド背板２３を引き起こすとともに、スタンド背板２３の両側に設けられているスタンドリブ２６を直角に曲げる。
【００２０】
次に、スタンド底板１６の左右２箇所を切り欠いて設けられているスタンド底板ジョイント部１７を折り筋１８に沿って垂直に折り曲げ、先端のスタンド底板ジョイント部ツメ２０を、スタンド背板２３とこれを補強するスタンドリブ２６との連接部に形成されたスタンド背板受け穴２４に係合することにより、スタンド底板１６、スタンド背板２３、スタンドリブ２６の３つの面から構成される立体構造のスタンドを形成できるので、接着やのり貼りをしなくても従来に比べて著しく頑丈なスタンドラックを実現することができる。
【００２１】
このとき、スタンド底板ジョイント部１７をスタンドリブ２６の外側から係合することにより、スタンド底板ジョイント部１７は内側に戻ろうとする一方で、スタンドリブ２６は外側に開こうとする反発力が働いて、係合部を外れにくくすることができる。
【００２２】
なお、本発明においてはスタンドリブ２６の形状は問わないが、図６に示すように、スタンド底板ジョイント部１７側（組み立てた状態で下側）を幅広くすることによって、組み立てたときの形状安定性を向上させることができる。
【００２３】
また、スタンド底板ジョイント部１７の形状は、スタンド底板１６側（組み立てた状態で下側）を長辺とする三角形状とすることによって、組み立てた時の形状安定性を向上させることができる。
【００２４】
次に、スタンド背板２３の先端部に連接されたスタンドジョイント部２７に設けられたスタンドジョイント部ツメ２８を、本体背板２に設けられた本体背板上部受け穴３に差し込んで係合させることにより、スタンドジョイント部ロック２９が掛かって係合部の外れを防止できるので、図６に示すように、スタンドラック本体を後ろから支えて転倒を防止するスタンドを組み立てることができる。
【００２５】
本発明においては、係合部および被係合部の形状は問わず、長方形のスリットとしてもよいが、図６の本体背板上部受け穴３およびスタンドジョイント部ツメ２８のように楕円形状とすることにより、差込み易くし、その先端に突起を設けてスタンドジョイント部ロック２９とすることにより、外れにくくすることができる。
【００２６】
なお、本発明においては、スタンドラックの素材は問わずＰＥＴ（ポリエチレンテレフタレート）、塩化ビニル、厚紙等でもよいが、印刷物の自重により変形や転倒しにくい構造なので、例えば1mm未満（0.7mm程度）のＰＰ製（ポリプロピレン製）とすることにより、軽量で製造コストが安いスタンドラックを実現することができるうえ、直角以上に深く折り込むことができるので、折り畳んでコンパクトにして印刷物と一緒に梱包して搬送することができるうえ、使わないときに収納スペースが節約できる。
【００２７】
なお、本発明においてはスタンドラックの素材の色は問わないが、無色透明とすることによって、内容物を外から透かして見ることができる。
＜スタンドラック本体の組み立て手順＞
本発明の第２の特徴であるスタンドラック本体の組み立て手順を説明する。
【００２８】
まず、図２に示すように、本体背板２に連接された、本体側板Ｂ８、本体側板Ｃ９、本体前板１を前面に折り曲げ、本体側板Ｃ９と本体側板Ａ５とを重ね合わせて、図３に示すように、本体側板Ｃ９の端部に設けられているツメ１０を、本体側板Ａ５の連接部に設けられている受け穴６に差し込んで係合させることにより、本体側板Ｃロック１１が掛かって係合部の外れを防止できる。
【００２９】
次に、図４および図５に示すように、スタンドラック本体を形成する本体背板２とスタンド底板１６との連接部に形成された通し穴２１に、前記スタンドラック本体を形成する本体底板Ａ１２に連接された本体底板ジョイント部１３を通し、該本体底板ジョイント部１３に形成されたツメ１４を、前記本体背板２に形成された受け穴４に係合して組み立てられる。本体底板ジョイント部１３を通し穴４に差し込むことにより、本体背板２と本体底板Ａ１２との位置が固定されるため、印刷物の自重によりポケット部が捩れる変形を防止することができる。
【００３０】
本発明においては、受け穴４、及び、ツメ１４の形状は問わず、長方形のスリットとしてもよいが、図４、図５の本体背板下部受け穴４、および、本体底板ジョイント部ツメ１４のように楕円形状とすることにより、差込み易くし、図１に示すようにツメ１４の先端に突起を設けて本体底板ジョイント部ロック１５とすることにより、外れにくくすることができる。
＜第２の実施形態＞
図７〜図１３は、本発明のスタンドラックにおける第２の実施形態を例示する図である。
【００３１】
本発明における第２の実施形態は、二段ポケットを有するスタンドラックを例示するものである。
【００３２】
本実施形態は、スタンドラック本体が、前記スタンドラック本体を形成する本体前板１および二段ポケット前板５１とを有し、該二段ポケット前板５１に連接された３枚の板を折り曲げて二段ポケット底板Ａ〜Ｃ５２〜５４を形成することを特徴とする。
【００３３】
本実施形態によれば、スタンドラック本体が、スタンドラック本体を形成する本体前板１および二段ポケット前板５１とを有することにより、上下二段に印刷物を入れることができるうえ、二段ポケット前板５１に連接された３枚の板を折り曲げて二段ポケット底板Ａ〜Ｃ５２〜５４を形成するので立体構造の底板とすることができるので、二段ポケットに印刷物の自重がかかった場合でも、二段ポケットが捩れて変形しにくくすることができる。
【００３４】
以下に図７〜図１３を参照しながら、第２実施形態のスタンドラックの組み立て手順を説明する。
【００３５】
図７は、本発明における第２の実施形態のスタンドラックを組み立てる前のシートを示す図である。
【００３６】
図７に示すように、前述の図１〜図６の実施形態に、二段ポケット前板５１、二段ポケット底板Ａ〜Ｃ５２〜５４、二段ポケット側板Ａ〜Ｃ５６〜５８を追加したものであり、その他の部材は第１の実施形態と同様であるので説明は省略する。
【００３７】
まず、図８（a）に示すように、二段ポケット側板Ａ５２，Ｂ５３、二段ポケット前板５１を前方に折り曲げ、二段ポケット側板Ａ５６に設けられたリブ５９の側面に設けられた突起である前後ロック６０，６１を、二段ポケット側板Ｃ５８に設けられた前後受け穴６２，６３にそれぞれ差し込んで係合させることにより、二段ポケット側板Ａリブの前後ロック６０、６１が掛かって係合部の外れを防止することができるうえ、内容物の自重を支えることにより二段ポケットの捩れ変形を防止することができる。
【００３８】
次に、図８（ｂ）に示すように、二段ポケット底板Ａ〜Ｃ５２〜５４をコの字型に折り曲げることにより、立体構造の底板とすることができるので、二段ポケットに印刷物の自重がかかった場合でも、二段ポケットが捩れて変形しにくくすることができる。
【００３９】
また、図７および図８に示すように、二段ポケット底板Ｂ５３およびＣ５４の一部（二段ポケット底板Ａ５２側の端面）を切り欠くことによって、底板を組み立て易くすることができるうえ、二段ポケット底板Ｃ５４の先端部の幅を本体底板Ａ１２と同じ幅にすることによって、二段ポケット底板Ｃ５４の位置をしっかりと固定することができる。
【００４０】
なお、本実施形態においては、図８に示すように、二段ポケット前板５１に連接された３枚の板を折り曲げて二段ポケット底板Ａ〜Ｃ５２〜５４を形成するので、二段ポケット底板Ｂ５３の高さを変更することによって、二段ポケットの内容物に応じて底の高さを変更することができる。
【００４１】
図９は、第２の実施形態におけるスタンドラックを上面から見た図（a）、および、側面から見た図（ｂ）であり、二段ポケット側板Ａリブの前後ロック６０、６１が掛かった状態、および、二段ポケット底板Ａ〜Ｃ５２〜５４がコの字型の底板を形成している状態が分かる。
【００４２】
図１０は、二段ポケット側板Ａ５２，Ｂ５３、二段ポケット前板５１を前方に折り曲げた状態を示しており、次に、本体前板１、本体側板９、本体底板１２を第１の実施形態と同様に、図１１に示すように前方に折り曲げ、図１２に示すように係合部と被係合部を係合させることによって、図１３に示すような二段ポケットを有するスタンドラックを組み立てることができる。このとき、第１の実施形態における本体背板下部受け穴４と同じ位置に、二段ポケット底板受け穴５５を設けて、本体底板ジョイントツメ１４を両方の受け穴４、５５に係合させることにより、底板をしっかりと固定することができる。
【００４３】
また、図７に示すように、二段ポケット前板５１と本体前板１とを本体背板２の左右に配置することにより、折り畳んだときにコンパクトにすることができるので使用しないときの収納スペースを節約することができる。
【００４４】
なお、上記以外の部材や使用する素材については前述の第１の実施形態と同様であるので説明を省略する。
＜第３の実施形態＞
図１４乃〜図１６は、本発明のスタンドラックにおける第３の実施形態を例示する図である。
【００４５】
本実施形態は、図１４乃〜図１６に示すように、前述の第２の実施形態における二段ポケット底板Ｂに二段ポケット底板ジョイント部１０２を設け、本体背板２と二段ポケット底板Ａ５２との連接部に設けられた通し穴１０１を通して、二段ポケット底板ジョイント部ツメ１０３を受け穴１００に係合させることにより、二段ポケット底板Ａ５２をさらにしっかりと固定することができ、印刷物の自重による変形を防止することができる。
【００４６】
なお、上記以外の部材や使用する素材については前述の第１および第２の実施形態と同様であるので説明を省略する。
＜第４の実施形態＞
図１７〜図２０は、本発明のスタンドラックにおける第４の実施形態を例示する図である。
【００４７】
第４の実施形態は、前述の第１〜第３のいずれかスタンドラックの前面に、別のスタンドラックを係合して配置するスタンドラックである。
【００４８】
図１７〜図２０に示すように、前面に置くスタンドラックの本体背板ジョイント部にツメ１１１を設け、前面には受け穴１１２を複数設け、この受け穴１１２にツメ１１１を係合させることにより、前述の第１〜第３のいずれかスタンドラックの前面に、別のスタンドラックを係合して配置することができるうえ、複数の受け穴１１２の使用する受け穴を変えることにより、図１９及び図２０に示すように、前面のラックを後面のラックから左右方向にずらして配置することができるので、印刷物を見え易く並べることができる。このとき、本体底板Ａ１２には、前述の本体前板受け穴１１２と同間隔で受け穴１１３を設け、本体底板Ａから後方に突出した本体底板Ｂには、前述の本体前板受け穴１１２と同間隔でツメ１１４を設けることにより、前後のスタンドラックをしっかりと固定させることができる。
【００４９】
また、図１７（a）に示す複数の受け穴１１２の代わりに、図１７（b）に示すジョイント部スペース１１５を設け、このスペースの任意の位置にツメ１１１を係合させることによって、スタンドラックを任意の幅だけずらして配置することができる。
【００５０】
なお、上記以外の部材や使用する素材については前述の第１〜第３の実施形態と同様であるので説明を省略する。
【産業上の利用可能性】
【００５１】
本発明のスタンドラックは、接着やのり貼りをしなくても従来に比べて著しく頑丈なスタンドラックを実現することができ、しかも、例えば1mm未満のＰＰ製（ポリプロピレン製）の素材を使用でき製造コストを低減することができるので、カタログやパンフレットなどの印刷物だけでなく、様々な商品を陳列するスタンドラックとして使用することができるため、今後ますます市場の拡大が期待できる。
従来に比べて薄い
【図面の簡単な説明】
【００５２】
【図１】本発明のスタンドラックにおける第１の実施形態の展開図を例示する図である。
【図２】本発明のスタンドラックにおける第１の実施形態の組み立て手順を示す図である。
【図３】本発明のスタンドラックにおける第１の実施形態の組み立て手順を示す図である。
【図４】本発明のスタンドラックにおける第１の実施形態の組み立て手順を示す図である。
【図５】本発明のスタンドラックにおける第１の実施形態の組み立て手順を示す図である。
【図６】本発明のスタンドラックにおける第１の実施形態の組み立てた状態を示す図である。
【図７】本発明のスタンドラックにおける第２の実施形態の展開図を例示する図である。
【図８】本発明のスタンドラックにおける第２の実施形態の組み立て手順を示す図である。
【図９】本発明のスタンドラックにおける第２の実施形態の組み立て手順を示す図である。
【図１０】本発明のスタンドラックにおける第２の実施形態の組み立て手順を示す図である。
【図１１】本発明のスタンドラックにおける第２の実施形態の組み立て手順を示す図である。
【図１２】本発明のスタンドラックにおける第２の実施形態の組み立て手順を示す図である。
【図１３】本発明のスタンドラックにおける第２の実施形態の組み立てた状態を示す図である。
【図１４】本発明のスタンドラックにおける第３の実施形態の展開図を例示する図である。
【図１５】本発明のスタンドラックにおける第３の実施形態の組み立て手順を示す図である。
【図１６】本発明のスタンドラックにおける第３の実施形態の組み立てた状態を示す図である。
【図１７】本発明のスタンドラックにおける第４の実施形態の展開図を例示する図である。
【図１８】本発明のスタンドラックにおける第４の実施形態の組み立て手順示す図である。
【図１９】本発明のスタンドラックにおける第４の実施形態の組み立て手順示す図である。
【図２０】本発明のスタンドラックにおける第４の実施形態の組み立て手順示す図である。
【符号の説明】
【００５３】
１  本体前板
２  本体背板
３  本体背板上部受け穴
４  本体背板下部受け穴
５  本体側板Ａ
６  本体側板Ａ受け穴
７  本体側板Ａロック
８  本体側板Ｂ
９  本体側板Ｃ
10本体側板Ｃツメ
11本体側面板Ｃロック
12本体底板Ａ
13本体底板ジョイント部
14本体底板ジョイント部ツメ
15本体底板ジョイント部ロック
16スタンド底板
17スタンド底板ジョイント部
18スタンド底板ジョイント部折り筋
19スタンド底板ジョイント部ロック
20スタンド底板ジョイント部ツメ
21スタンド底板通し穴
22スタンド底板通し穴折り筋
23スタンド背板
24スタンド背板受け穴
25スタンド背板ロック
26スタンドリブ
27スタンドジョイント部
28スタンドジョイント部ツメ
29スタンドジョイント部ロック
51二段ポケット前板
52二段ポケット底板Ａ
53二段ポケット底板Ｂ
54二段ポケット底板Ｃ
55二段ポケット底板受け穴
56二段ポケット側板Ａ
57二段ポケット側板Ｂ
58二段ポケット側板Ｃ
59二段ポケット側板Ａリブ
60二段ポケット側板Ａリブ前部ロック
61二段ポケット側板Ａリブ後部ロック
62二段ポケット側板Ａリブ後部受け穴
63二段ポケット側板Ａリブ前部受け穴
64本体背板ジョイント部通し穴
100本体背板二段ポケット底板ジョイント部受け穴
101本体背板二段ポケット底板ジョイント部通し穴
102二段ポケット底板ジョイント部
103二段ポケット底板ジョイント部ツメ
110本体底板Ｂ
111本体背板ジョイント部ツメ
112本体前板ジョイント部受け穴
113本体底板ジョイント部受け穴
114本体底板ジョイント部ツメ
115本体前板ジョイント部スペース
【図１】
2008018105.tif 000003
【図２】
2008018105.tif 000004
【図３】
2008018105.tif 000005
【図４】
2008018105.tif 000006
【図５】
2008018105.tif 000007
【図６】
2008018105.tif 000008
【図７】
2008018105.tif 000009
【図８】
2008018105.tif 000010
【図９】
2008018105.tif 000011
【図１０】
2008018105.tif 000012
【図１１】
2008018105.tif 000013
【図１２】
2008018105.tif 000014
【図１３】
2008018105.tif 000015
【図１４】
2008018105.tif 000016
【図１５】
2008018105.tif 000017
【図１６】
2008018105.tif 000018
【図１７】
2008018105.tif 000019
【図１８】
2008018105.tif 000020
【図１９】
2008018105.tif 000021
【図２０】
2008018105.tif 000022